(57)【要約】      （修正有）【課題】太陽光発電により点灯する発光体等の照明を具備した表札看板は、表札または看板部分とは別に太陽電池を設置するため装置全体の大型化を余儀なくされる。さらに文字視認性を向上させることは難しかった。太陽電池上に直接文字等を画いたり、もしくは文字等を画いた透明ガラス等を太陽電池に貼り付ける等した場合、その文字等の部分が陰になり、発電効率を著しく降下させるため困難であった。【解決手段】透明な硝子または樹脂板で構成されている太陽電池カバー１の表面に、サンドブラスト法またはエッチング法等一般的に知られたすりガラス加工により文字等２を画き、適当な間隔を設けて太陽電池４を配置する。さらに太陽電池カバー１の側面に発光体等５を取り付け蓄電池８と共に筺体３内設置する。筺体３内に明るさセンサ６、及び明暗判別回路７を設置する。  【選択図】図１
2005092167.tif 000002
【特許請求の範囲】
【請求項１】
透明な硝子または樹脂板で構成されている太陽電池カバー（１）の表面に、すりガラス加工により文字等（２）を画き、太陽電池（４）に装着した表札または看板において、太陽電池で起電した電力を蓄える蓄電池（８）と太陽電池カバー（１）の側面に発光体等（５）を取り付けたことを特徴とする表札または看板。
【請求項２】
請求項１に記載の表札または看板において、明るさセンサ（６）及び明暗判別回路（７）を設置した表札または看板。
【発明の詳細な説明】
【技術分野】
【０００１】  この発明は、太陽光発電により点灯する発光体等の照明装置を具備した表札または看板に関するものである。
【背景技術】
【０００２】  従来より、例えば実用全文昭６３−１７６９６や実用全文昭６３−１７３２８０のように、太陽光発電により発光体等の照明装置を点灯させ、表札または看板に画かれている文字等の夜間の視認性を向上させるもの、または特開平１０−３４００５９のように太陽光発電により発光体等の照明装置を点灯させ、表札または看板本体の夜間の視認性を向上させるものは知られている。
【発明の開示】
【発明が解決しようとする課題】
【０００３】  しかし、実用全文昭６３−１７６９６や実用全文昭６３−１７３２８０または特開平１０−３４００５９では、表札または看板部分とは別に太陽電池を設置しているため装置全体の大型化を余儀なくされる。さらに、特開平１０−３４００５９では表札または看板本体の夜間の視認性は向上するが画かれている文字等の視認性は向上しない。
また、太陽電池上に直接文字等を画いたり、もしくは文字等を画いた透明ガラス等を太陽電池に貼り付ける等した場合、その文字等の部分が陰になり、発電効率を著しく降下させるため困難であった。
この発明は、以上の欠点を除くためになされたものである。
【課題を解決するための手段】
【０００４】  透明な硝子または樹脂板で構成されている太陽電池カバー（１）の表面に、サンドブラスト法またはエッチング法等一般的に知られたすりガラス加工により文字等（２）を画き、適当な間隔を設けて太陽電池（４）を配置する。さらに太陽電池カバー（１）の側面に発光体等（５）を取り付け、蓄電池（８）と共に筺体（３）内設置する。
筺体（３）内に明るさセンサ（６）、及び明暗判別回路（７）を設置する。
本発明は、以上のような構成からなる表札または看板である。
【発明の効果】
【０００５】（イ）太陽電池カバー（１）に照射した太陽光は、太陽電池カバー（１）に施した文字等（２）がすりガラス加工であるため、遮断されることなく太陽電池（４）に到達し、効率よく電力に変換される。
（ロ）文字板と太陽電池（４）を別に設置する必要がなく一体化ができるので設置が簡単になり小型軽量化が可能になる。
（ハ）昼など、周囲が明るいときは太陽電池カバー（１）に照射した太陽光は、太陽電池カバー（１）を透過するため、太陽電池（４）に到達し、外部からは紫紺色に見えるが、すりガラス加工された文字等（２）は光を乱反射し文字等（２）部分のみ白色に浮き出させるため、視認性が高い。
（ニ）夜間、周囲が暗いときは、発光体等（５）が点灯し、放たれた光は透明な硝子または樹脂板で構成されている太陽電池カバー（１）の表面、及び内部を透過するが、すりガラス加工された文字等（２）の部分では表面粗度が大きく光が乱反射し文字等（２）部分のみ浮き出して見えるため、夜間の視認性が極めて高く、また意匠性もある。
（ホ）夜間、暗くなる、または昼など、周囲が明るくなると明るさセンサ（６）が明暗判別回路（７）に信号を送り、明暗判別回路（７）が蓄電池（８）と発光体等（５）の間のスイッチングを自動で行うため、手動による操作が要らず、また昼間の点灯を防止し、蓄電池（８）に蓄えられた電力を無駄なく消費することができる。
【発明を実施するための最良の形態】
【０００６】  透明な硝子または樹脂板で構成されている太陽電池カバー（１）の表面に、サンドブラスト法またはエッチング法等一般的に知られたすりガラス加工により文字等（２）を画き、適当な間隔を設けて太陽電池（４）を配置する。さらに太陽電池カバー（１）の側面に発光体等（５）を取り付け蓄電池（８）と共に筺体（３）内設置する。
筺体（３）内に明るさセンサ（６）、及び明暗判別回路（７）を設置する。
本発明は以上のような構造でこれを使用するときは、発明品を屋外に設置しておくだけで次のような動作をする。
まず、太陽電池カバー（１）に照射した太陽光は、太陽電池カバー（１）に施した文字等（２）がすりガラス加工であるため遮断されることなく太陽電池（４）に到達し、電力に変換される。
変換された電力は、蓄電池（８）に蓄えられる。
また、太陽電池カバー（１）に照射した太陽光は、太陽電池カバー（１）を透過するため、太陽電池（４）に到達し、外部からは紫紺色に見えるが、すりガラス加工された文字等（２）は光を乱反射し文字等（２）部分のみ白色に浮き出させるため、視認性が高い。
夜間、暗くなると明るさセンサ（６）が明暗判別回路（７）に信号を送り、明暗判別回路（７）が蓄電池（８）と発光体等（５）の間のスイッチングを行い、太陽電池カバー（１）の側面に取り付けられた発光体等（５）が点灯する。
発光体等（５）が点灯し放たれた光は透明な硝子または樹脂板で構成されている太陽電池カバー（１）の表面、及び内部を透過するが、すりガラス加工された文字等（２）の部分では表面粗度が大きく光が乱反射し文字等（２）部分のみ浮き出して見えるため、夜間の視認性が極めて高く、また意匠性もある。
尚、発光体の色を選択することにより文字の色を変えることができる。
昼など、周囲が明るくなると明るさセンサ（６）が明暗判別回路（７）に信号を送り、明暗判別回路（７）が蓄電池（８）と発光体等（５）の間のスイッチングを行い、太陽光発電パネルカバー（１）の側面に取り付けられた発光体等（５）が消灯する。
【実施例１】
【０００７】  図２に示す様に、本発明を表札として構成する。
【実施例２】
【０００８】  図３に示す様に、本発明を看板として構成する。
【図面の簡単な説明】
【０００９】
【図１】本発明の断面図である。
【図２】本発明を表札として構成した斜視図である。
【図３】本発明を看板として構成した斜視図である。
【図４】本発明の電気回路図である。
【符号の説明】
【００１０】１  太陽電池カバー
２  文字等
３  筐体
４  太陽電池
５  発光体等
６  明るさセンサ
７  明暗判別回路
８  蓄電池
【図１】
2005092167.tif 000003
【図２】
2005092167.tif 000004
【図３】
2005092167.tif 000005
【図４】
2005092167.tif 000006